(57)【特許請求の範囲】
【請求項１】
信頼されていないネットワークを通しての加入者アクセスネットワークへの移動局の接続を確立するための方法において、
前記信頼されていないネットワークを通しての前記加入者アクセスネットワークに接続するためのＳＩＰベースの登録要求を前記移動局から受信し、前記登録要求は、前記移動局に関係する一意的な識別子を含むことと、
前記移動局に第１のストリーム識別子（ＩＤ）を割り当て、前記ストリームＩＤは、前記移動局に関係するデータトラフィックを識別するために、および、前記加入者アクセスネットワーク上でデータを送信および受信するために使用されることと、
音声トラフィックまたはデータトラフィックのうちの少なくとも１つがそれを通してルーティングされる、前記移動局への最初のトンネルを生成させることと、
前記移動局が登録されたままである限り、前記第１のストリームＩＤの割り当てと、前記最初のトンネルとをアクティブに維持することとを含む方法。
【請求項２】
前記登録要求は、データ接続性に対する要求である請求項１記載の方法。
【請求項３】
前記登録要求は、前記移動局の電源投入の際に発行される請求項１記載の方法。
【請求項４】
最初のトンネルを介して、ボイスオーバーＩＰ（ＶｏＩＰ）接続に対する要求を受信し、前記登録要求は、前記割り当てられた第１のストリームＩＤを使用してカプセル化されていることと、
音声トラフィックに対して一意的なポート番号を割り当てることと、
前記第１のストリームＩＤに対する音声ポートのマッピングを維持することとをさらに含む請求項１記載の方法。
【請求項５】
前記登録要求は、ＳＩＰ ＩＮＶＩＴＥである請求項１記載の方法。
【請求項６】
予め規定されている基準に基づいて、再割り当てが必要とされることを決定した際に、前記第１のストリームＩＤを再割り当てすることをさらに含む請求項１記載の方法。
【請求項７】
前記移動局が、登録を取り消したり、前記信頼されていないネットワークからのカバレッジを失ったり、または、電源切断するときに、前記再割り当てが必要とされる請求項６記載の方法。
【請求項８】
データ通話を受信することと、
前記移動局と前記加入者アクセスネットワークのＰＤＳＮとの間にＰＰＰセッションを確立することと、
前記移動局と前記ＰＤＳＮとの間でデータが交換された後に前記ＰＰＰセッションを終了させることと、
前記ＰＰＰセッションを終了させた後に、前記最初のトンネルと前記第１のストリームＩＤとをアクティブに維持することとをさらに含む請求項１記載の方法。
【請求項９】
前記移動局に第２のストリームＩＤを割り当て、前記第２のストリームＩＤは、前記第１のストリームＩＤとは異なるサービスの品質に関係していることをさらに含む請求項１記載の方法。
【請求項１０】
要求に応じて、前記第２のストリームＩＤを割り当てる請求項９記載の方法。
【請求項１１】
前記第１のストリームＩＤと同時に、前記第２のストリームＩＤを割り当てる請求項９記載の方法。
【請求項１２】
要求に応じて、前記第２のストリームＩＤを解放する請求項９記載の方法。
【請求項１３】
前記第１のストリームＩＤを解放するときに、前記第２のストリームＩＤを解放する請求項９記載の方法。
【請求項１４】
装置において、
信頼されていないネットワークを通して加入者アクセスネットワークに接続するためのＳＩＰベースの登録要求を移動局から受信するように構成され、前記登録要求は、前記移動局に関係する一意的な識別子を含む受信機と、
前記移動局に関係するデータトラフィックを識別するために、および、前記加入者アクセスネットワーク上でデータを送信および受信するために、前記移動局に第１のストリーム識別子（ＩＤ）を割り当て、音声トラフィックおよびデータトラフィックがそれを通してルーティングされる、前記移動局への最初のトンネルを生成させるように構成されているプロセッサと、
前記プロセッサに結合され、前記第１のストリームＩＤの割り当てのマッピングを記憶するメモリとを具備し、
前記プロセッサは、前記移動局が前記ネットワークに登録されたままである限り、前記第１のストリームＩＤの割り当てと、前記最初のトンネルとをアクティブのまま維持するように構成されている装置。
【請求項１５】
前記登録要求は、データ接続性に対する要求である請求項１４記載の装置。
【請求項１６】
前記登録要求は、前記移動局の電源投入の際に発行される請求項１４記載の装置。
【請求項１７】
前記受信機は、前記最初のトンネルを介して、ボイスオーバーＩＰ（ＶｏＩＰ）接続に対する登録要求を受信するようにさらに構成され、前記登録要求は、前記割り当てられた第１のストリームＩＤを使用してカプセル化され、
前記プロセッサは、音声トラフィックに対して一意的なポート番号を割り当てて、前記ストリームＩＤに対する前記一意的なポート番号のマッピングを維持するようにさらに構成されている請求項１４記載の装置。
【請求項１８】
前記登録要求は、ＳＩＰ ＩＮＶＩＴＥである請求項１４記載の装置。
【請求項１９】
前記プロセッサは、予め規定されている基準に基づいて、再割り当てが必要とされることを決定した際に、前記第１のストリームＩＤを再割り当てするようにさらに構成されている請求項１４記載の装置。
【請求項２０】
前記予め規定されている基準は、前記移動局が、登録を取り消したり、前記信頼されていないネットワークに対するカバレッジを失ったり、または、電源切断するときを含む請求項１９記載の装置。
【請求項２１】
前記受信機は、データ通話を受信するようにさらに構成され、
前記プロセッサは、前記移動局と前記加入者アクセスネットワークのＰＤＳＮとの間にＰＰＰセッションを確立して、前記移動局と前記ＰＤＳＮとの間でデータが交換された後に前記ＰＰＰセッションを終了させるようにさらに構成され、
前記プロセッサは、前記ＰＰＰセッションを終了させた後に、前記最初のトンネルと前記第１のストリームＩＤとをアクティブに維持する請求項１４記載の装置。
【請求項２２】
前記プロセッサは、前記移動局に第２のストリームＩＤを割り当てるようにさらに構成され、前記第２のストリームＩＤは、前記第１のストリームＩＤとは異なるサービスの品質に関係している請求項１４記載の装置。
【請求項２３】
要求に応じて、前記第２のストリームＩＤを割り当てる請求項２２記載の装置。
【請求項２４】
前記第１のストリームＩＤと同時に、前記第２のストリームＩＤを割り当てる請求項２２記載の装置。
【請求項２５】
要求に応じて、前記第２のストリームＩＤを解放する請求項２２記載の装置。
【請求項２６】
前記第１のストリームＩＤを解放するときに、前記第２のストリームＩＤを解放する請求項２２記載の装置。
【請求項２７】
装置において、
信頼されていないネットワークを通しての加入者アクセスネットワークに接続するためのＳＩＰベースの登録要求を移動局から受信し、前記登録要求は、前記移動局に関係する一意的な識別子を含む手段と、
前記移動局に第１のストリーム識別子（ＩＤ）を割り当て、前記ストリームＩＤは、前記加入者アクセスネットワーク上でデータを送信および受信するために使用される手段と、
音声トラフィックまたはデータトラフィックのうちの少なくとも１つがそれを通してルーティングされる、前記移動局への最初のトンネルを生成させる手段と、
前記移動局が登録されたままである限り、前記第１のストリームＩＤの割り当てと、前記最初のトンネルとをアクティブに維持する手段とを具備する装置。
【発明の詳細な説明】
【米国特許法第１１９条の下での優先権主張】
【０００１】
本特許出願は、“固定電話と携帯電話の融合（ＦＭＣ）アーキテクチャ”と題し、２００８年５月２９日に出願され、本発明の譲受人に譲渡され、ここでの参照によりここに明確に組み込まれている仮出願第６１／０５７，１２３号に対して優先権を主張する。
【背景】
【０００２】
[分野]
本出願は、一般的に、トンネリングを使用する、音声トラフィックおよびデータトラフィックのルーティングの装置および方法に関連している。
【０００３】
[背景]
移動体通信デバイスは、もはや、単に音声通話を行うこと、および、音声通話を受けることに限定されない。このようなデバイスのユーザは、任意のロケーションから、オーディオ、ビデオ、テキスト、および／または、他のコンテンツにアクセスすることを望む。移動体デバイスが、１つより多いタイプの通信ネットワークを使用して動作することを可能にするデュアルモードデバイスが存在する。デバイスは、例えば、８０２．１１ＷＬＡＮおよび３Ｇセルラネットワークを使用するように構成されていてもよい。
【０００４】
３Ｇネットワークは、加入ベースのアクセスを提供し、認可されているスペクトルを使用して、その加入者にワイヤレスカバレッジを提供する。対照的に、８０２．１１ＷＬＡＮは、認可されていないスペクトルを使用して動作し、それゆえ、信頼されていないネットワークであると考えられることがある。典型的に、データセッションは、デバイスがデータ転送を要求するたびにアクティブ化されなければならない。これにより、付加的な待ち時間が生じる。データセッションの確立に関係する待ち時間を減少させる方法を持つことが望ましいだろう。
【概要】
【０００５】
下記において、このような側面の基本的な理解を提供するために、１つ以上の側面の簡略化した概要を提示する。この概要は、すべての考えられる側面の広範囲にわたる概略ではなく、すべての側面のキーエレメントまたは重要なエレメントを識別すること、もしくは、任意の側面またはすべての側面の範囲を詳細に述べることのどちらも意図していない。この唯一の目的は、後に提示するさらに詳細な説明に対する前置きとして、１つ以上の側面のうちのいくつかの概念を簡略化した形態で提示することである。
【０００６】
いくつかの側面にしたがうと、信頼されていないネットワークを通しての加入者アクセスネットワークへの移動局の接続を確立するための方法は、３Ｇネットワークに接続するためのＳＩＰベースの登録要求を移動局から受信し、登録要求は、移動デバイスに関係する一意的な識別子を含むことと、移動局に第１のストリーム識別子（ＩＤ）を割り当て、第１のストリームＩＤは、３Ｇネットワーク上でデータを送信および受信するために使用されることと、音声トラフィックおよびデータトラフィックがそれを通してルーティングされる、移動局への最初のトンネルを生成させることとを含み、移動局が登録されたままである限り、第１のストリームＩＤの割り当てと、最初のトンネルとはアクティブに保たれる。
【０００７】
いくつかの側面にしたがうと、装置は、信頼されていないネットワークを通して加入者アクセスネットワークに接続するためのＳＩＰベースの登録要求を移動局から受信するように構成されている受信機と、登録要求は、移動デバイスに関係する一意的な識別子を含み、加入者アクセスネットワーク上でデータを送信および受信するために、移動局に第１のストリーム識別子（ＩＤ）を割り当て、音声トラフィックおよびデータトラフィックがそれを通してルーティングされる、移動局への最初のトンネルを生成させるように構成されているプロセッサと、プロセッサに結合され、データを記憶するメモリとを具備し、移動局がネットワークに登録されているままである限り、第１のストリームＩＤの割り振りと、最初のトンネルとはアクティブに保たれる。
【０００８】
いくつかの側面にしたがうと、信頼されていないネットワークを通しての加入者アクセスネットワークへの移動局の接続を確立するように構成されている少なくとも１つのプロセッサは、加入者アクセスネットワークに接続するためのＳＩＰベースの登録要求を移動局から受信する第１のモジュールと、登録要求は、移動デバイスに関係する一意的な識別子を含み、移動局に第１のストリーム識別子（ＩＤ）を移動局に割り当てる第２のモジュールと、第１のストリームＩＤは、加入者アクセスネットワーク上でデータを送信および受信するために使用され、音声トラフィックおよびデータトラフィックがそれを通してルーティングされる、移動局への最初のトンネルを生成させる第３のモジュールとを具備し、移動局が登録されたままである限り、第１のストリームＩＤの割り当てと、最初のトンネルとはアクティブに保たれる。
【０００９】
いくつかの側面にしたがうと、コンピュータプログラムプロダクトは、コンピュータに、加入者アクセスネットワークに接続するためのＳＩＰベースの登録要求を移動局から受信させるための第１の組のコードと、コンピュータに、移動局に第１のストリーム識別子（ＩＤ）を割り当てさせるための第２の組のコードと、コンピュータに、音声トラフィックおよびデータトラフィックがそれを通してルーティングされる、移動局への最初のトンネルを生成させるための第３の組のコードとを備えるコンピュータ読取可能媒体を具備し、登録要求は、移動デバイスに関係する一意的な識別子を含み、第１のストリームＩＤは、加入者アクセスネットワーク上でデータを送信および受信するために使用され、移動局が登録されたままである限り、第１のストリームＩＤの割り当てと、最初のトンネルとはアクティブに保たれる。
【００１０】
いくつかの側面にしたがうと、ワイヤレスローカルエリアネットワーク（ＷＬＡＮ）を通して加入者アクセスネットワークに接続するための方法は、加入者アクセスネットワークに対する接続性を要求するためのＳＩＰベースの登録要求をＳＩＰゲートウェイ（ＳＩＰ ＧＷ）に送信し、登録要求は一意的な識別子を含むことと、ＳＩＰ ＧＷから第１のストリームＩＤを受信し、第１のストリームＩＤは、登録の際にＳＩＰ ＧＷにより確立されるトンネルを通して、加入者アクセスネットワーク中で通信するために使用されることとを含み、第１のストリームＩＤの割り当てと、トンネルとはアクティブに保たれる。
【００１１】
いくつかの側面にしたがうと、装置は、加入者アクセスネットワークに対する接続性を要求するためのＳＩＰベースの登録要求をＳＩＰゲートウェイ（ＳＩＰ ＧＷ）に送信し、登録要求は一意的な識別子を含む手段と、ＳＩＰ ＧＷから第１のストリームＩＤを受信し、第１のストリームＩＤは、登録の際にＳＩＰ ＧＷにより確立されるトンネルを通して、加入者アクセスネットワーク中で通信するために使用される手段とを具備し、第１のストリームＩＤの割り当てと、トンネルとは、後続の通信セッション中で使用するためにアクティブに保たれる。
【００１２】
いくつかの側面にしたがうと、装置は、加入者アクセスネットワークに対する接続性を要求するためのＳＩＰベースの登録要求をＳＩＰ ＧＷに送信するように構成され、登録要求は一意的な識別子を含む送信機と、ＳＩＰ ＧＷから第１のストリームＩＤを受信するように構成され、第１のストリームＩＤは、登録の際にＳＩＰ ＧＷにより確立されるトンネルを通して、加入者アクセスネットワーク中で通信するために使用される受信機とを具備し、第１のストリームＩＤの割り当てと、トンネルとは、後続の通信セッション中で使用するためにアクティブに保たれる。
【００１３】
先の目的および関連する目的を達成するために、１つ以上の側面は、後に完全に記述する特徴、および、特許請求の範囲中で特に指摘する特徴を含んでいる。下記の説明および添付図面により、１つ以上の側面のある例示的特徴を詳細に説明する。しかしながら、これらの特徴は、さまざまな側面の原理を用いることができるさまざまな方法のうちのいくつかを示してはおらず、本記述は、このようなすべての側面およびそれらの均等物を含むことを意図している。
【図面の簡単な説明】
【００１４】
開示した側面を図示するが、限定はしないように提供されている添付した図面に関連して、開示した側面を下記において記述している。ここで、同一の名称は、同一のエレメントを指している。
【図１】図１は、開示するさまざまな側面を実現する例示的な通信システムである。
【図２】図２は、いくつかの側面にしたがった、例示的な登録プロセスを描いているフローチャートである。
【図３】図３は、いくつかの側面にしたがった、例示的なＳＩＰ ＧＷである。
【図４】図４は、いくつかの側面にしたがった、例示的な移動局である。
【図５】図５は、いくつかの側面にしたがった、３Ｇネットワークへの接続を促進する例示的な方法論の図である。
【詳細な説明】
【００１５】
図面を参照して、ここでさまざまな側面を記述している。下記の記述において、説明の目的として、１つ以上の側面の完全な理解を提供するために、数々の特有な詳細を述べている。しかしながら、これらの特有な詳細がなくても、このような側面を実施できることは、明白である。
【００１６】
本出願において使用するように、用語“コンポーネント”、“モジュール”、“システム”、および、これらに類するものは、これらには限定されないが、ハードウェアや、ファームウェアや、ハードウェアとソフトウェアとを組み合わせたものや、ソフトウェアや、実行中のソフトウェアのような、コンピュータ関連エンティティを含むことを意図している。例えば、コンポーネントは、これらには限定されないが、プロセッサ上で動作しているプロセス、プロセッサ、オブジェクト、実行ファイル、実行スレッド、プログラム、および／または、コンピュータであってもよい。実例として、コンピューティングデバイス上で動作しているアプリケーション、および、コンピューティングデバイスの双方をコンポーネントとすることができる。１つ以上のコンポーネントは、実行のプロセスおよび／またはスレッド内に存在していてもよく、コンポーネントは、１つのコンピュータ上に局所化されていてもよく、および／または、２つ以上のコンピュータ間に分散されていてもよい。加えて、これらのコンポーネントは、その上にさまざまなデータ構造を記憶させているコンピュータ読取可能媒体から実行できる。コンポーネントは、ローカルシステム中の、分散システム中の別のコンポーネントと対話している１つのコンポーネントからのデータのような、および／または、インターネットのようなネットワークを通して、信号により他のシステムと対話している１つのコンポーネントからのデータのような、１つ以上のデータパケットを有する信号にしたがう、ローカルおよび／または遠隔のプロセスにより、通信してもよい。
【００１７】
さらに、さまざまな側面を、ワイヤード端末またはワイヤレス端末とすることができる端末に関連して、ここに記述している。端末は、システム、デバイス、加入者ユニット、加入者局、移動局、移動体、移動体デバイス、遠隔局、遠隔端末、アクセス端末、ユーザ端末、端末、通信デバイス、ユーザエージェント、ユーザデバイス、または、ユーザ機器（ＵＥ）とも呼ばれることがある。ワイヤレス端末は、セルラ電話機、衛星電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続能力を有するハンドヘルドデバイス、コンピューティングデバイス、または、ワイヤレスモデムに接続されている他の処理デバイスであってもよい。さらに、基地局に関連して、ここでさまざまな側面を記述している。基地局は、ワイヤレス端末との通信のために利用されてもよく、アクセスポイント、ノードＢと呼ばれることがあり、または、他の何らかの専門用語で呼ばれることもある。
【００１８】
さらに、用語“または”は、排他的な“または”というよりむしろ、包含的な“または”を意味するように意図されている。すなわち、そうでないことが明記されていない限り、または、文脈から明らかでない限り、フレーズ“ＸがＡまたはＢを用いる”は、自然な包含的順列のうちのいずれかのものを意味するように意図している。すなわち、フレーズ“ＸがＡまたはＢを用いる”は、下記の事例：ＸがＡを用いる；ＸがＢを用いる；または、ＸがＡおよびＢの双方を用いる、のうちのいずれかのものにより満たされる。加えて、本出願および添付した特許請求の範囲中で使用されている、冠詞“ａ”および“ａｎ”は、そうでないことが明記されていない限り、または、単数形を示していることが文脈から明らかでない限り、一般的に、“１つ以上”を意味すると解釈すべきである。
【００１９】
ここに記述した技法は、ＣＤＭＡ、ＴＤＭＡ、ＦＤＭＡ、ＯＦＤＭＡ、ＳＣ−ＦＤＭＡ、および他のシステムのような、さまざまなワイヤレス通信システムに対して使用してもよい。用語“システム”および“ネットワーク”は、互換性があるように使用することが多い。ＣＤＭＡシステムは、ユニバーサル地上無線アクセス（ＵＴＲＡ）、ｃｄｍａ２０００などのような、無線技術を実現してもよい。ＵＴＲＡは、ワイドバンドＣＤＭＡ（Ｗ−ＣＤＭＡ）およびＣＤＭＡの他の変形を含む。さらに、ｃｄｍａ２０００は、ＩＳ−２０００標準規格、ＩＳ−９５標準規格、およびＩＳ−８５６標準規格をカバーしている。ＴＤＭＡシステムは、グローバルシステムフォーモバイルコミュニケーション（ＧＳＭ（登録商標））のような無線技術を実現してもよい。ＯＦＤＭＡシステムは、進化ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ）、ＩＥＥＥ８０２．２０、フラッシュＯＦＤＭ（登録商標）などのような、無線技術を実現してもよい。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、Ｅ−ＵＴＲＡを使用するＵＭＴＳのリリースであり、ダウンリンク上でＯＦＤＭＡを用い、アップリンク上でＳＣ−ＦＤＭＡを用いる。ＵＴＲＡ、Ｅ−ＵＴＲＡ、ＵＭＴＳ、ＬＴＥ、およびＧＳＭは、“第三世代パートナーシッププロジェクト”（３ＧＰＰ）という名の機関による文書中に記述されている。加えて、ｃｄｍａ２０００およびＵＭＢは、“第三世代パートナーシッププロジェクト２”（３ＧＰＰ２）という名の機関による文書中に記述されている。さらに、このようなワイヤレス通信システムは、対ではない許可されていないスペクトル、８０２．ｘｘワイヤレスＬＡＮ、ブルートゥース（登録商標）、および他の何らかの短距離または長距離ワイヤレス通信技法を使用することが多い、ピア・ツー・ピア（例えば、移動体間の）アドホックネットワークシステムを付加的に含んでいてもよい。
【００２０】
多くのデバイス、コンポーネント、モジュール、およびこれらに類するものを含むシステムの観点から、さまざまな側面または特徴を提示するだろう。さまざまなシステムは、デバイス、コンポーネント、モジュールなどを付加的に含むことがあり、および／または、図面に関連して論じる、デバイス、コンポーネント、モジュールなどのすべてを含まないことがあることを、理解し、正しく認識すべきである。これらのアプローチを組み合わせたものも使用できる。
【００２１】
図１は、開示するさまざまな側面を実現するシステム１００を描いている。第３世代（３Ｇ）セルラネットワーク１１０のような加入者アクセスネットワークは、パケットデータ担当ノード（ＰＤＳＮ）１４０と、移動体スイッチングセンター（ＭＳＣ）１２０と、ホーム認証、認可、アカウンティング（Ｈ−ＡＡＡ）サーバ１２２と、ホームロケーションレジスタ／認証センター（ＨＬＲ／ＡＣ）１２４と、データベース１２６と、セッション開始プロトコル（ＳＩＰ）ゲートウェイ（ＧＷ）１３０とを含む。移動局（ＭＳ）１５０は、３Ｇバックエンドおよび認証サービスを利用する一方で、ワイヤレスローカルエリアネットワーク（ＷＬＡＮ）アクセスポイント（ＡＰ）１６０のような信頼されていないネットワークを介して、インターネット１０１にアクセスしてもよい。ＷＬＡＮ ＡＰ１６０は、ＩＥＥＥ８０２．ｘｘワイヤレス接続性を提供してもよく、ここで“ｘｘ”は“１１”のようなバージョン番号を意味する。例えば、ラップトップコンピュータのような、移動局以外のデバイスも使用してもよい。さらに、ＷＬＡＮ ＡＰ１６０を描き、ＩＥＥＥ８０２．ｘｘを論じているが、例えば、ＷｉＭａｘ、ＤＳＬ、および／または、他の接続性プロトコルのような、他の接続性プロトコルを使用してもよい。３Ｇネットワーク１１０は、例えばＣＤＭＡ２０００ネットワークであってもよい。他のタイプの加入者アクセスネットワークも使用してもよい。
【００２２】
ＷＬＡＮ ＡＰ１６０を通して、および、３Ｇネットワーク１１０にわたって、ＭＳ１５０にパケットデータ通信を提供するように、ＰＤＳＮ１４０を構成してもよい。ＰＤＳＮ１４０はまた、Ｈ−ＡＡＡ１２２にインターフェースして、Ｈ−ＡＡＡ１２２を通して、認証、認可、アカウンティングのための機能を実行してもよい。Ｈ−ＡＡＡ１２２は、ＭＳ１５０を認証および認可して、ネットワークサービスにアクセスできるようにする。ＭＳＣ１２０は、ワイヤレスデバイス１５０において、トラフィック発信またはトラフィック終端を切り替える。ＭＳＣ１２０は、ワイヤレスネットワークと、他のパブリック交換ネットワークまたは他のＭＳＣとの間に、ユーザトラフィックに対するインターフェースを提供してもよい。ＨＬＲ／ＡＣ１２４は、ＭＳ１５０のような接続されているすべての移動局に関係するアドレスロケーションデータを記憶する。
【００２３】
ＳＩＰゲートウェイ１３０は、ＭＳ１５０が、従来の３Ｇバックエンドアーキテクチャおよび認証手順を維持しながら、ＷＬＡＮ１６０を通して３Ｇネットワーク１１０サービスにアクセスすることを可能にする。ＭＳ１５０およびＳＩＰ ＧＷ１３０は、ＳＩＰシグナリングを使用して、ＷＬＡＮ１６０を通して、ＭＳ１５０と３Ｇネットワーク１１０との間の接続を確立する。データは、トンネル１３５を通してポイント・ツー・ポイントプロトコル（ＰＰＰ）を使用して、ＭＳ１５０とＳＩＰ ＧＷ１３０との間で転送される。いくつかの側面にしたがうと、トンネル１３５は、ユーザデータグラムプロトコル−インターネットプロトコル（ＵＤＰ−ＩＰ）によるＰＰＰトンネルであってもよい。他の側面では、トンネル１３５は、汎用ルーティングカプセル化（ＧＲＥ）−ＵＤＰ−ＩＰによるＰＰＰトンネルであってもよい。他のトンネリング構成も使用してもよい。ＳＩＰ ＧＷ１３０とＰＤＳＮ１４０との間でデータを送信するために、Ａ１１／Ａ１０リンク１４５使用してもよい。いったん、セッション確立が完了すると、ＰＤＳＮ１４０とＭＳ１５０との間にＰＰＰリンク１５５を確立することができる。
【００２４】
図２は、いくつかの側面にしたがった、例示的な登録プロセスを描いているフローチャートである。２０２において描いているように、ＳＩＰ ＧＷは、データセッションを確立するための登録要求をＭＳから受信してもよい。いくつかの側面にしたがうと、ＭＳの電源投入の際に、この初期の登録要求を受信してもよい。登録要求は、ＳＩＰ ＩＮＶＩＴＥメッセージであってもよい。典型的に、ＳＩＰ ＩＮＶＩＴＥメッセージは、データセッションごとに送信される。ここで開示しているさまざまな例示的な側面にしたがうと、単一のＳＩＰ ＩＮＶＩＴＥメッセージが送信され、ＭＳが登録されたままである限り、セッションが維持される。
【００２５】
２０４において描いているように、ＳＩＰ ＧＷは、ＭＳにストリームＩＤおよびポート番号を割り当てる。いくつかの側面にしたがうと、登録要求（例えば、ＳＩＰ ＩＮＶＩＴＥ）は、ＭＳに対する一意的な識別子を含んでいてもよい。一意的な識別子は、例えば、デバイスに関係する国際移動体加入者識別子（ＩＭＳＩ）であってもよい。他の一意的な識別子も使用してもよい。割り当てられたストリームＩＤおよび／またはポート番号は、一意的な識別子にマッピングされてもよく、ＳＩＰ ＧＷはマッピングを維持し、それを使用して通話をルーティングする。いくつかの側面にしたがうと、ストリームＩＤおよび／またはポート番号をデータトラフィックに対して使用する。ストリームＩＤおよびポート番号は、“ＳＩＰ２００ ＯＫ”メッセージ中で、ＭＳに戻されてもよい。例示的な側面にしたがうと、ストリームＩＤの割り振りは、ＷＬＡＮ上でのＭＳ登録のライフタイムの間に、一度実行される。例えば、ＭＳの電源が落ちて、ＷＬＡＮカバレッジを失った場合、または、登録を取り消した場合に、ストリームＩＤは再割り当てされる。
【００２６】
登録より前には、ＭＳは、割り当てられたストリームＩＤを有していない。そうであるので、初期のＳＩＰ ＩＮＶＩＴＥメッセージをトンネリングできない。２０６において描いているように、登録が成功すると、ＳＩＰ ＧＷは、ＭＳとＳＩＰ ＧＷとの間にトンネルを生成させることができる。トンネルは、例えば、ＵＤＰ−ＩＰによるＰＰＰトンネル、ＧＲＥ−ＵＤＰ−ＩＰによるＰＰＰトンネル、および／または、他のトンネルであってもよい。生成されたトンネルにより、音声トラフィックおよびデータトラフィックの双方がトンネルを通して運べるようになる。
【００２７】
図３中で、ＳＩＰ ＧＷ１３０をさらに詳細に描いている。ＳＩＰ ＧＷ１３０は、セッション確立および認証を促進し、同様に、ＷＬＡＮのようなＩＰベースの接続を通して、移動体デバイスと（３Ｇネットワーク１１０のような）３Ｇネットワークとの間でのデータおよび制御情報のルーティングを促進する。ＳＩＰ ＧＷ１３０は、１つ以上の（ＭＳ１５０のような）移動体デバイス３０４から信号を受信する受信機３１０と、１つ以上の移動体デバイス３０４に送信する送信機３２４とを備えている。受信機３１０は、受信した情報を復調する復調器３１２に動作可能に関係付けられていてもよい。復調されたシンボルは、プロセッサ３１４により解析されてもよい。プロセッサ３１４は、セッション確立およびデータルーティングに関連する情報とともに、他の適切な情報を記憶するメモリ３１６に結合されている。プロセッサ３１４は、デバイス登録器３１８と、ルーティングモジュール３２０と、ＰＰＰセッション確立モジュール３２２とに結合されていてもよい。
【００２８】
デバイス登録器３１８は、１つ以上の移動局から、ＳＩＰ ＩＮＶＩＴＥのような登録要求データを受信して、データセッションを確立するように構成されていてもよい。いくつかの側面にしたがうと、ＭＳは、ＭＳに関係する一意的な識別子を含むデータ接続性要求３０５を発行する。したがって、デバイス登録器３１８は、ストリームＩＤおよびＵＤＰポートをＭＳに割り当てるように動作可能な、ハードウェアおよび／またはソフトウェアを実行するように、および、将来のデータトランザクションのために、ストリームＩＤおよび／またはポート番号に対する一意的な識別子のマッピング３１９を維持するように、構成されていてもよい。ここで説明するように、ＷＬＡＮへのＭＳ登録のライフタイムの間中、ストリームＩＤの割り振りが維持される。
【００２９】
デバイス登録器３１８はまた、登録の成功の際に、ＭＳとＳＩＰ ＧＷとの間にトンネルを生成させるためのトンネル発生器３１７を備えている。いくつかの側面にしたがうと、デバイス登録器３１８はまた、ＳＩＰ ＩＮＶＩＴＥメッセージ３０７を受け入れ、音声通話セッションを確立するように構成されていてもよい。ＶｏＩＰに対するＳＩＰ ＩＮＶＩＴＥは、データセッション確立の間にＭＳに割り当てられたストリームＩＤを使用して、ＵＤＰカプセル化されるメッセージであってもよい。登録モジュール３１８は、ＳＩＰメッセージおよびＲＴＰメッセージに対して使用するためのＳＩＰ ＧＷポートを割り当ててもよい。割り当てられたポートは、ストリームＩＤおよび一意的な識別子にマッピングされてもよい。
【００３０】
いくつかの側面にしたがうと、付加的なポート番号および／またはストリームＩＤを割り振ることにより、付加的なストリームを生成させてもよい。同一のＭＳからの異なるパケット／ストリームに対して異なる優先度／ＱＯＳを提供するために、これらの付加的なフローを使用してもよい。これらのトンネルは、いくつかの側面にしたがって、要望に応じて、生成されてもよく、または、削除されてもよい。他の側面では、付加的なトンネルは、最初の登録においてプライマリートンネルとともに生成されてもよく、ＭＳが登録されるまで維持されてもよい。
【００３１】
ＳＩＰ ＧＷ１３０はまた、音声通話およびデータ通話の適切なルーティングを促進するルーティングモジュール３２０を備えていてもよい。ルーティングモジュール３２０は、通話が音声通話であるか、データ通話であるかを決定し、ストリームＩＤに基づくマッピングにしたがって通話をルーティングしてもよい。音声通話は、Ａ２インターフェースを介してＭＳＣにルーティングされてもよい一方で、データ通話は、Ａ１０インターフェースを通してＰＤＳＮにルーティングされてもよい。
【００３２】
データ通話に対して、データをルーティングするために、ＭＳとＰＤＳＮとの間にＰＰＰセッションを確立してもよい。ＰＰＰセッションの確立およびティアダウンに無関係である登録モジュール３１８により、データ接続性に対する初期ストリームＩＤコンテキストを維持してもよい。すなわち、たとえＰＰＰセッションが終了されても、デバイス登録器３１８は、ＭＳに結び付くストリームＩＤコンテキストとトンネルとを維持する。
【００３３】
いくつかの側面にしたがうと、ＳＩＰ ＧＷは、ＳＩＰ ＧＷにおけるデータの到来の際に、ＰＤＳＮに対するＡ１０インターフェースに、ストリームＩＤを動的にマッピングするＰＰＰセッション確立モジュール３２２をさらに備えていてもよい。このマッピング３２３は、ＭＳとネットワークエンティティとの間でデータトラフィックをルーティングできるようにする。
【００３４】
図４は、開示したさまざまな側面を実現する移動局１５０の例である。ＭＳ１５０は、ＷＬＡＮ、または、通常の３Ｇネットワーク接続性手順を介して、３Ｇネットワーク１１０に対するデータ接続性を達成する。ＭＳ１５０は、例えば、（示していない）受信アンテナから信号を受信し、受信信号に対して一般的なアクション（例えば、フィルタリング、増幅、ダウンコンバートなど）を実行し、調整された信号をデジタル化して、サンプルを取得する受信機４０２を備えていてもよい。ＭＳ１５０はまた、受信シンボルを復調し、その受信シンボルをプロセッサ４０６に提供できる復調器４０４を備えていてもよい。プロセッサ４０６は、受信機４０２により受信した情報を解析すること、および／または送信機４１６による送信のための情報を発生させることに専用のプロセッサであってもよく、ＭＳ１５０のうちの１つ以上のコンポーネントを制御するプロセッサであってもよく、ならびに／あるいは、受信機４０２より受信した情報を解析し、送信機４１６による送信のための情報を発生させるのみならずまた、ＭＳ１５０のうちの１つ以上のコンポーネントを制御するプロセッサであってもよい。
【００３５】
ＭＳ１５０は、プロセッサ４０６に動作可能に結合されており、そして、送信されるデータ、受信されるデータ、ネットワーク接続性に関連する情報、および／または、他の何らかの適した情報を記憶できるメモリ４０８を付加的に備えていてもよい。ＭＳ１５０は、ネットワーク接続性に関係するプロトコルおよび／またはアルゴリズムを、あるいは、ＭＳ１５０により実行される他の機能を付加的に記憶してもよい。メモリ４０８は、揮発性メモリまたは不揮発性メモリであるか、あるいは、揮発性メモリおよび不揮発性メモリの双方を含むことができるかのいずれかであってもよいことが、理解されるだろう。実例として、そして限定ではなく、不揮発性メモリは、リードオンリーメモリ（ＲＯＭ）、プログラム可能ＲＯＭ（ＰＲＯＭ）、電気的にプログラム可能なＲＯＭ（ＥＰＲＯＭ）、電気的に消去可能なＰＲＲＯＭ（ＥＥＰＲＯＭ）、またはフラッシュメモリ（登録商標）を含むことができる。揮発性メモリは、ランダムアクセスメモリ（ＲＡＭ）を含むことができ、これは外的キャシュメモリとして機能する。実例として、そして限定ではなく、ＲＡＭは、シンクロナスＲＡＭ（ＳＲＡＭ）や、ダイナミックＲＡＭ（ＤＲＡＭ）や、シンクロナスＤＲＡＭ（ＳＤＲＡＭ）や、二重データレートＳＤＲＡＭ（ＤＤＲ ＳＤＲＡＭ）や、拡張型ＳＤＲＡＭ（ＥＳＤＲＡＭ）や、シンクリンクＲＡＭ（ＳＬＤＲＡＭ）や、ダイレクトラムバスＲＡＭ（ＤＲＲＡＭ）のような、多くの形態で利用可能である。メモリ４０８は、これらのタイプのメモリ、および他の何らかの適切なタイプのメモリを具備することに向けられているが、これらに限定されない。
【００３６】
プロセッサ４０６は、３Ｇネットワークへの接続を促進することができるセッション開始器４１０に動作可能にさらに結合されていてもよい。ＭＳ１５０は、マルチモードデバイスであってもよく、１つより多い接続手順を介して３Ｇネットワークに接続する能力があってもよい。例えば、ＭＳ１５０は、ＷｉＦｉを介して（ＷＬＡＮ１６０を通して）、または、３Ｇネットワークにより提供される接続メカニズム（例えば、ｃｄｍａ２０００）を使用して、３Ｇネットワークに接続するように構成されていてもよい。セッション開始器４１０は、適切な接続モードを選択するように構成されていてもよい。いくつかの側面にしたがうと、セッション開始器４１０は、ＷｉＦｉ接続性が検出された場合に、ＷｉＦｉ接続を介していつも接続するように構成されていてもよい。他の側面では、セッション開始器４１０は、最も強い接続、または、指定されたサービスの品質のレベルを提供する接続を選択するように構成されていてもよい。さらに他の側面では、セッション開始器４１０は、好ましい接続方法をＭＳ１５０のユーザがケースバイケースで選択できるように構成されていてもよい。
【００３７】
セッション開始器４１０はまた、ＳＩＰシグナリングを使用して、ＷｉＦｉを介して３Ｇネットワークへの接続を開始するように構成されていてもよい。これは、例えば、データ接続性を要求するためのＳＩＰ ＩｎｖｉｔｅをＳＩＰ ＧＷに対して発行することを含んでいてもよい。確立されたデータ接続は、ＭＳ１５０がＷＬＡＮに接続されている限り、アクティブに保たれる。
【００３８】
ここに記述した例示的な側面にしたがうと、データセッションごとに、新たなＳＩＰ ＩＮＶＩＴＥが必要とされるわけではない。ストリームＩＤは既に知られているので、ＳＩＰ ＩＮＶＩＴＥを発行する必要性をなくすことによって、待ち時間が減少し、アプリケーションが開始されるとすぐにＰＰＰセッションを確立できる。ＳＩＰ ＧＷとＭＳとの間のトンネルはアクティブに保たれ、ＭＳは、割り当てられたストリームＩＤを使用して、音声通話およびデータ通話を送信する。システムおよび方法は、第三者オペレーティングシステムに対しても容易に採用可能である。さらに、音声サービスおよびデータサービスは、同一のトンネルを通して対応されてもよい。
【００３９】
ソフトウェアで、ファームウェアで、ミドルウェアで、あるいは、マイクロコード、プログラムコード、またはコードセグメントで、実施形態を実現するときに、これらは、記憶コンポーネントのような、機械読取可能媒体中に記憶できる。コードセグメントは、手順、関数、サブプログラム、プログラム、ルーチン、サブルーチン、モジュール、ソフトウェア、パッケージ、クラス、あるいは、命令、データ構造またはプログラムステートメントのうちの任意の組み合わせを、表すことができる。コードセグメントは、情報や、データや、変数や、パラメータや、またはメモリコンテンツを、送ること、および／または、受け取ることにより、別のコードセグメントあるいはハードウェア回路に結合することができる。情報、変数、パラメータ、データなどは、メモリの共有、メッセージパッシング、トークンパッシング、ネットワーク送信などを含む、任意の手段を使用して、渡す、転送、または送信できる。
【００４０】
ソフトウェアインプリメンテーションにおいて、ここで記述した技法は、ここで記述した機能を実行するモジュール（例えば、手順、関数など）により実現することができる。ソフトウェアコードは、メモリユニット中に記憶することができ、プロセッサにより実行できる。メモリユニットは、プロセッサ内部で、または、プロセッサの外部で、実現できる。どちらのケースにおいても、メモリユニットは、技術的に知られているさまざまな手段によって、プロセッサに通信可能に結合することができる。
【００４１】
図５に目を向けると、図示しているものは、ＷＬＡＮを通しての３Ｇネットワークへのデータ接続性に対する要求を、１つ以上の移動体デバイスから受信するシステム５００である。システム５００は、例えば、ＳＩＰ ＧＷ内に存在することができる。描いているように、システム５００は、プロセッサや、ソフトウェアや、これらを組み合わせたもの（例えば、ファームウェア）により実現される機能を表すことができる機能ブロックを備えている。システム５００は、ともに機能する電気コンポーネントの論理グルーピング５０２を備えている。論理グルーピング５０２は、加入者アクセスネットワークに接続するためのＳＩＰベースの登録要求を移動局から受信するモジュール５０４を備えることができ、登録要求は、移動体デバイスに関係する一意的な識別子を含む。さらに、論理グルーピング５０２は、ストリーム識別子（ＩＤ）を移動局に割り当てるモジュール５０６を備えることができ、ストリームＩＤは、加入者アクセスネットワーク上でデータを送信および受信するために使用される。論理グルーピング５０２はまた、音声トラフィックおよびデータトラフィックがそれを通してルーティングされる、移動局への最初のトンネルを生成させるモジュール５０８を備えていてもよい。移動局が登録されたままである限り、ストリームＩＤの割り当てと、最初のトンネルとはアクティブに保たれる。加えて、システム５００は、電気コンポーネント５０４および５０６に関係する機能を実行するための命令を保持するメモリ５１０を備えることができる。メモリ５１０の外部にあると示しているが、電気コンポーネント５０４、５０６、および５０８は、メモリ５１０内に存在できることを理解すべきである。
【００４２】
ここで開示した実施形態に関連して記述したさまざまな例示的な論理、論理ブロック、モジュールおよび回路は、汎用プロセッサ、デジタル信号プロセッサ（ＤＳＰ）、特定用途向け集積回路（ＡＳＩＣ）、現場プログラム可能ゲートアレイ（ＦＰＧＡ）または他のプログラム可能論理デバイス、ディスクリートゲートまたはトランジスタ論理、ディスクリートハードウェアコンポーネント、あるいは、ここに記述した機能を実行するように設計されているこれらの任意の組み合わせたものにより、実現または実行してもよい。汎用プロセッサはマイクロプロセッサであってもよいが、代替実施形態では、プロセッサは、任意の従来のプロセッサ、制御装置、マイクロ制御装置または状態機械であってもよい。プロセッサはまた、コンピューティングデバイスを組み合わせたものとして、例えば、ＤＳＰとマイクロプロセッサの組み合わせとして、複数のマイクロプロセッサとして、ＤＳＰコアに関連した１つ以上のマイクロプロセッサとして、あるいは、このような構成の他の何らかのものとして、実現されてもよい。加えて、少なくとも１つのプロセッサは、上述したステップおよび／またはアクションのうちの１つ以上のものを実行するように動作可能な、１つ以上のモジュールを備えていてもよい。
【００４３】
さらに、ここで開示した側面に関連して記述した方法またはアルゴリズムのステップおよび／またはアクションは、ハードウェアで、プロセッサにより実行されるソフトウェアモジュールで、あるいは、双方を組み合わせたもので直接的に具現化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または技術的に知られている他の何らかの形態の記憶媒体中に存在していてもよい。例示的な記憶媒体は、プロセッサが記憶媒体から情報を読み取り、記憶媒体に情報を書き込むことができるようにプロセッサに結合されていてもよい。代替実施形態では、記憶媒体はプロセッサと一体化されてもよい。さらに、いくつかの側面では、プロセッサおよび記憶媒体は、ＡＳＩＣ中に存在していてもよい。さらに、ＡＳＩＣは、ユーザ端末中に存在していてもよい。代替実施形態では、プロセッサおよび記憶媒体は、ディスクリートコンポーネントとしてユーザ端末中に存在していてもよい。さらに、いくつかの側面では、方法またはアルゴリズムのステップおよび／またはアクションは、コードおよび／または命令のうちの１つとして、あるいは、コードおよび／または命令の何らかの組み合わせとして、あるいは、コードおよび／または命令の組として、機械読み取り可能媒体および／またはコンピュータ読み取り可能媒体上に存在していてもよく、これらは、コンピュータプログラムプロダクト中に組み込まれていてもよい。
【００４４】
１つ以上の側面では、記述した機能は、ハードウェアで、ソフトウェアで、ファームウェアで、または、これらを組み合わせたもので実現されてもよい。ソフトウェアで実現された場合、機能は、１つ以上の命令またはコードとして、コンピュータ読取可能媒体上に記憶されてもよく、あるいは、１つ以上の命令またはコードとして、コンピュータ読取可能媒体上で送信されてもよい。コンピュータ読取可能媒体は、１つの場所から別の場所へのコンピュータプログラムの転送を促進する何らかの媒体を含むコンピュータ記憶媒体および通信媒体の双方を含む。記憶媒体は、コンピュータによりアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、所望のプログラムコードを命令またはデータ構造の形態で伝送または記憶するために使用でき、コンピュータによりアクセスできる他の何らかの媒体を含むことができる。また、あらゆる接続は、コンピュータ読取可能媒体と適切に呼ばれる。例えば、ソフトウェアが、同軸ケーブルや、光ファイバケーブルや、撚り対や、デジタル加入者回線（ＤＳＬ）や、あるいは、赤外線、無線、マイクロ波のようなワイヤレス技術を使用して、ウェブサイト、サーバ、または、他の遠隔ソースから送信される場合には、同軸ケーブル、光ファイバケーブル、撚り対、ＤＳＬ、あるいは、赤外線、無線、および、マイクロ波のようなワイヤレス技術は、媒体の定義に含まれる。ここで使用したようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含むが、一般的に、ディスク（ｄｉｓｋ）は、データを磁気的に再生する一方で、一般的に、ディスク（ｄｉｓｃ）はデータをレーザによって光学的に再生する。上記のものを組み合わせたものもまた、コンピュータ読取可能媒体の範囲内に含められるべきである。
【００４５】
先の開示は、本発明の例示的な側面および／または実施形態について論じたが、添付した特許請求の範囲により規定されているような記述した側面および／または実施形態の範囲を逸脱することなく、ここでさまざまな変更および改良を行うことができることに留意すべきである。さらに、記述した側面および／または実施形態のエレメントは、単数形で記述またはクレームされているが、単数形に対する限定が明示的に述べられていない限り、複数形を意図している。さらに、何らかの側面および／または実施形態のすべてまたは一部は、特に明記がない限り、他の何らかの側面および／または実施形態のすべてまたは一部により利用されてもよい。
以下に、本願出願時の特許請求の範囲に記載された発明を付記する。
［１］信頼されていないネットワークを通しての加入者アクセスネットワークへの移動局の接続を確立するための方法において、
前記加入者アクセスネットワークに接続するためのＳＩＰベースの登録要求を前記移動局から受信し、前記登録要求は、前記移動デバイスに関係する一意的な識別子を含むことと、
前記移動局に第１のストリーム識別子（ＩＤ）を割り当て、前記ストリームＩＤは、前記移動局に関係するデータトラフィックを識別するために、および、前記加入者アクセスネットワーク上でデータを送信および受信するために使用されることと、
音声トラフィックまたはデータトラフィックのうちの少なくとも１つがそれを通してルーティングされる、前記移動局への最初のトンネルを生成させることと、
前記移動局が登録されたままである限り、前記第１のストリームＩＤの割り当てと、前記最初のトンネルとをアクティブに維持することとを含む方法。
［２］前記登録要求は、データ接続性に対する要求である［１］記載の方法。
［３］前記登録要求は、前記移動局の電源投入の際に発行される［１］記載の方法。
［４］最初のトンネルを介して、ボイスオーバーＩＰ（ＶｏＩＰ）接続に対する要求を受信し、前記登録要求は、前記割り当てられた第１のストリームＩＤを使用してカプセル化されていることと、
音声トラフィックに対して一意的なポート番号を割り当てることと、
前記第１のストリームＩＤに対する前記音声ポートのマッピングを維持することとをさらに含む［１］記載の方法。
［５］前記登録要求は、ＳＩＰ  ＩＮＶＩＴＥである［１］記載の方法。
［６］予め規定されている基準に基づいて、再割り当てが必要とされることを決定した際に、前記第１のストリームＩＤを再割り当てすることをさらに含む［１］記載の方法。
［７］前記移動局が、登録を取り消したり、前記信頼されていないネットワークからのカバレッジを失ったり、または、電源切断するときに、リサイクルが必要とされる［６］記載の方法。
［８］データ通話を受信することと、
前記移動局と前記加入者アクセスネットワークのＰＤＳＮとの間にセッションを確立することと、
前記移動局と前記ＰＤＳＮとの間でデータが交換された後に前記ＰＰＰセッションを終了させることと、
前記ＰＰＰセッションを終了させた後に、前記最初のトンネルと前記第１のストリームＩＤとをアクティブに維持することとをさらに含む［１］記載の方法。
［９］前記ＭＳに第２のストリームＩＤを割り当て、前記第２のストリームＩＤは、前記第１のストリームＩＤとは異なるサービスの品質に関係していることをさらに含む［１］記載の方法。
［１０］要求に応じて、前記第２のストリームＩＤを割り当てる［９］記載の方法。
［１１］前記第１のストリームＩＤと同時に、前記第２のストリームＩＤを割り当てる［９］記載の方法。
［１２］要求に応じて、前記第２のストリームＩＤを解放する［９］記載の方法。
［１３］前記第１のストリームＩＤを解放するときに、前記第２のストリームＩＤを解放する［９］記載の方法。
［１４］装置において、
信頼されていないネットワークを通して加入者アクセスネットワークに接続するためのＳＩＰベースの登録要求を移動局から受信するように構成され、前記登録要求は、前記移動デバイスに関係する一意的な識別子を含む受信機と、
前記移動局に関係するデータトラフィックを識別するために、および、前記加入者アクセスネットワーク上でデータを送信および受信するために、前記移動局に第１のストリーム識別子（ＩＤ）を割り当て、音声トラフィックおよびデータトラフィックがそれを通してルーティングされる、前記移動局への最初のトンネルを生成させるように構成されているプロセッサと、
前記プロセッサに結合され、前記第１のストリームＩＤの割り当てのマッピングを記憶するメモリとを具備し、
前記プロセッサは、前記移動局が前記ネットワークに登録されたままである限り、前記第１のストリームＩＤの割り当てと、前記最初のトンネルとをアクティブのまま維持するように構成されている装置。
［１５］前記登録要求は、データ接続性に対する要求である［１４］記載の装置。
［１６］前記登録要求は、前記移動局の電源投入の際に発行される［１４］記載の装置。
［１７］前記受信機は、前記最初のトンネルを介して、ボイスオーバーＩＰ（ＶｏＩＰ）接続に対する要求を受信するようにさらに構成され、前記登録要求は、前記割り当てられた第１のストリームＩＤを使用してカプセル化され、
前記プロセッサは、音声トラフィックに対して一意的なポート番号を割り当てて、前記ストリームＩＤに対する前記一意的なポート番号のマッピングを維持するようにさらに構成されている［１４］記載の装置。
［１８］前記登録要求は、ＳＩＰ  ＩＮＶＩＴＥである［１４］記載の装置。
［１９］前記プロセッサは、予め規定されている基準に基づいて、再割り当てが必要とされることを決定した際に、前記第１のストリームＩＤを再割り当てするようにさらに構成されている［１４］記載の装置。
［２０］前記予め規定されている基準は、前記移動局が、登録を取り消したり、前記信頼されていないネットワークに対するカバレッジを失ったり、または、電源切断するときを含む［１９］記載の装置。
［２１］前記受信機は、データ通話を受信するようにさらに構成され、
前記プロセッサは、前記移動局と前記加入者アクセスネットワークのＰＤＳＮとの間にＰＰＰセッションを確立して、前記移動局と前記ＰＤＳＮとの間でデータが交換された後に前記ＰＰＰセッションを終了させるようにさらに構成され、
前記プロセッサは、前記ＰＰＰセッションを終了させた後に、前記最初のトンネルと前記第１のストリームＩＤとをアクティブに維持する［１４］記載の装置。
［２２］前記プロセッサは、前記ＭＳに第２のストリームＩＤを割り当てるようにさらに構成され、前記第２のストリームＩＤは、前記第１のストリームＩＤとは異なるサービスの品質に関係している［１４］記載の装置。
［２３］要求に応じて、前記第２のストリームＩＤを割り当てる［２２］記載の装置。
［２４］前記第１のストリームＩＤと同時に、前記第２のストリームＩＤを割り当てる［２２］記載の装置。
［２５］要求に応じて、前記第２のストリームＩＤを解放する［２２］記載の装置。
［２６］前記第１のストリームＩＤを解放するときに、前記第２のストリームＩＤを解放する［２２］記載の装置。
［２７］信頼されていないネットワークを通しての加入者アクセスネットワークへの移動局の接続を確立するように構成されている少なくとも１つのプロセッサにおいて、
前記加入者アクセスネットワークに接続するためのＳＩＰベースの登録要求を前記移動局から受信し、前記登録要求は、前記移動デバイスに関係する一意的な識別子を含む第１のモジュールと、
前記移動局に第１のストリーム識別子（ＩＤ）を割り当て、前記ストリームＩＤは、前記移動局に関係するデータトラフィックを識別するために、および、前記加入者アクセスネットワーク上でデータを送信および受信するために使用される第２のモジュールと、
音声トラフィックまたはデータトラフィックのうちの少なくとも１つがそれを通してルーティングされる、前記移動局への最初のトンネルを生成させる第３のモジュールと、
前記移動局が登録されたままである限り、前記第１のストリームＩＤの割り当てと、前記最初のトンネルとをアクティブに維持する第４のモジュールとを具備する少なくとも１つのプロセッサ。
［２８］コンピュータプログラムプロダクトにおいて、
コンピュータに、加入者アクセスネットワークに接続するためのＳＩＰベースの登録要求を移動局から受信させるための第１の組のコードと、
コンピュータに、前記移動局に第１のストリーム識別子（ＩＤ）を割り当てさせるための第２の組のコードと、
コンピュータに、音声トラフィックまたはデータトラフィックのうちの少なくとも１つがそれを通してルーティングされる、前記移動局への最初のトンネルを生成させるための第３の組のコードと、
前記移動局が登録されたままである限り、コンピュータに、前記第１のストリームＩＤの割り当てと、前記最初のトンネルとをアクティブに維持させるための第４の組のコードとを備え、
前記登録要求は、前記移動デバイスに関係する一意的な識別子を含み、
前記ストリームＩＤは、前記加入者アクセスネットワーク上でデータを送信および受信するために使用される、コンピュータ読取可能媒体を具備するコンピュータプログラムプロダクト。
［２９］装置において、
加入者アクセスネットワークに接続するためのＳＩＰベースの登録要求を移動局から受信し、前記登録要求は、前記移動デバイスに関係する一意的な識別子を含む手段と、
前記移動局に第１のストリーム識別子（ＩＤ）を割り当て、前記ストリームＩＤは、前記加入者アクセスネットワーク上でデータを送信および受信するために使用される手段と、
音声トラフィックまたはデータトラフィックのうちの少なくとも１つがそれを通してルーティングされる、前記移動局への最初のトンネルを生成させる手段と、
前記移動局が登録されたままである限り、前記第１のストリームＩＤの割り当てと、前記最初のトンネルとをアクティブに維持する手段とを具備する装置。
［３０］信頼されていないネットワークを通して加入者アクセスネットワークに接続するための方法において、
前記加入者アクセスネットワークに対する接続性を要求するためのＳＩＰベースの登録要求をＳＩＰゲートウェイ（ＳＩＰ  ＧＷ）に送信し、前記登録要求は一意的な識別子を含むことと、
前記ＳＩＰ  ＧＷから第１のストリームＩＤを受信し、前記第１のストリームＩＤは、登録の際に前記ＳＩＰ  ＧＷにより確立されるトンネルを通して、前記加入者アクセスネットワーク中で通信するために使用され、前記第１のストリームＩＤの割り当ておよびトンネルは、後続の通信セッション中で使用するためにアクティブに維持されることとを含む方法。
［３１］前記確立されたトンネルを通して、前記第１のストリームＩＤを使用してカプセル化されているメッセージを介して、音声トラフィックおよびデータトラフィックを送信することをさらに含む［３０］記載の方法。
［３２］前記第１のストリームＩＤの割り当てに基づいて、前記トンネルを介して第１の通話を送信することと、
前記第１の通話を終了させることと、
前記第１のストリームＩＤの割り当てに基づいて、前記トンネルを介して第２の通話を送信することとをさらに含み、
前記第１の通話および前記第２の通話を確立するためのさらなる登録要求は送信されない［３０］記載の方法。
［３３］前記ＭＳに対する第２のストリームＩＤを受信することをさらに含み、前記第２のストリームＩＤは、前記第１のストリームＩＤとは異なるサービスの品質に関係している［３０］記載の方法。
［３４］要求に応じて、前記第２のストリームＩＤを受信する［３３］記載の方法。
［３５］前記第１のストリームＩＤと同時に、前記第２のストリームＩＤを受信する［３３］記載の方法。
［３６］装置において、
加入者アクセスネットワークに対する接続性を要求するためのＳＩＰベースの登録要求をＳＩＰゲートウェイ（ＳＩＰ  ＧＷ）に送信し、前記登録要求は一意的な識別子を含む手段と、
前記ＳＩＰ  ＧＷから第１のストリームＩＤを受信し、前記第１のストリームＩＤは、登録の際に前記ＳＩＰ  ＧＷにより確立されるトンネルを通して、前記加入者アクセスネットワーク中で通信するために使用され、前記第１のストリームＩＤの割り当ておよびトンネルは、後続の通信セッション中で使用するためにアクティブに保たれる手段とを含む装置。
［３７］装置において、
信頼されていないネットワークを通しての加入者アクセスネットワークに対する接続性を要求するためのＳＩＰベースの登録要求をＳＩＰゲートウェイ（ＳＩＰ  ＧＷ）に送信するように構成され、前記登録要求は一意的な識別子を含む送信機と、
前記ＳＩＰ  ＧＷから第１のストリームＩＤを受信するように構成され、前記ストリームＩＤは、登録の際に前記ＳＩＰ ＧＷにより確立されるトンネルを通して、前記加入者アクセスネットワーク中で通信するために使用され、前記第１のストリームＩＤの割り当ては、後続の通信セッション中で使用するためにアクティブに保たれる受信機と、
前記第１のストリームＩＤの割り当てを記憶するメモリとを含む装置。
［３８］前記送信機は、前記確立されたトンネルを通して、前記第１のストリームＩＤを使用してカプセル化されているメッセージを介して、音声トラフィックおよびデータトラフィックを送信するようにさらに構成されている［３７］記載の装置。
【図１】
0005410513.tif 000002
【図２】
0005410513.tif 000003
【図３】
0005410513.tif 000004
【図４】
0005410513.tif 000005
【図５】
0005410513.tif 000006